(57)【特許請求の範囲】
【請求項１】
巻き締められたゼンマイばねが伸びる際に発する駆動力を出力軸から回転運動として取り出すことのできるゼンマイ駆動機構と、このゼンマイ駆動機構の出力軸に接続された回転体とを備え、この回転体が揮散用の薬剤を含浸した含浸体を含み、回転体の回転によって上記含浸体に加わる遠心力と回転時に発生する風力に基づき含浸体中の薬剤を揮散させるものであることを特徴とする薬剤揮散用器具において、
上記のゼンマイ駆動機構から回転体までの少なくともいずれか１カ所の回転運動を受けて、出力軸の累積回転数を機械的に計数する計数部と、この計数部にて計数された上記の累積回転回数が所定値に達したことを外部に示す表示部とを備えたことを特徴とする薬剤揮散用器具。
【請求項２】
上記の表示部に示される表示が、上記の含浸体に含浸された薬剤の量が減少したことを示す表示であることを特徴とする請求項１記載の薬剤揮散用器具。
【請求項３】
前記含浸体が粒状若しくは略粒状のセルロース製ビーズであるか、又は略円盤状の三次元の立体繊維構造体であり、前記回転体がこの含浸体を内部に収容するカートリッジを備えたことを特徴とする請求項１又は２記載の薬剤揮散用器具。
【請求項４】
上記のゼンマイ駆動機構は、上記の駆動力を蓄えるためにゼンマイばねを手動にて巻き締めるための巻き締め部と、上記の駆動力の放出により回転運動がなされる駆動部と、出力軸へ上記の回転運動を伝達する伝達手段とを備え、この伝達手段は、上記の伝達に当たり、回転運動を１００〜２０００ｒｐｍの回転数に増速可能な調速部を備えるものであると共に、上記のゼンマイ駆動機構は、１回の巻き締めによって、少なくとも４０分間連続して上記の出力軸を回転させることができるものであることを特徴とする請求項１〜３のいずれかに記載の薬剤揮散用器具。
【請求項５】
上記の計数部にて計数された上記の累積回転回数が所定値に達した際に、上記の駆動部から上記の出力軸までの少なくともいずれか１カ所又は上記の巻き締め部に対し、制動作用を及ぼすことができる制動部を備えたことを特徴とする請求項４記載の薬剤揮散用器具。
【請求項６】
上記のゼンマイ駆動機構は回転運動の伝達をなすギアを含み、上記の計数部は部分ギアとステップ動作ギアとを備え、部分ギアは、上記のゼンマイ駆動機構のギアによる回転運動の伝達を受けて回転するものであり、かつ、部分ギアが１回転するうちの所定範囲でのみ、ステップ動作ギアに回転運動の伝達をなすものであることを特徴とする請求項１〜５のいずれかに記載の薬剤揮散用器具。
【発明の詳細な説明】
【技術分野】
【０００１】
本願発明は、カートリッジに収納した薬剤含浸体に遠心力を付与し、さらに望ましくはその際生じる風力を利用することにより、常温で薬剤を揮散させることができる薬剤揮散用器具に関するものである。
【背景技術】
【０００２】
【特許文献１】特開２００４−２２２７２５号公報
【特許文献２】特開２０００−１９７４３８号公報
【特許文献３】特開２００５−１１７９７５号公報
【０００３】
従来より、殺虫剤、害虫忌避剤や芳香剤などの薬剤を放散させるために、回転機構と薬剤含浸体とを組み合わせた装置が存在する。より具体的には、特許文献１に記載の発明が提案されている。この特許文献１の器具は、取り替え可能なカートリッジに収納した粒状若しくは略粒状の薬剤含浸体に遠心力を付与し且つこの際生じる風力を利用することにより、常温で薬剤を揮散させる薬剤揮散用器具に係るものである。
【０００４】
この特許文献１の薬剤揮散用器具は、携帯用として用いる場合は、通常、乾電池を電源とし上記の電動モータにより駆動されるものであった。そのため、乾電池が消耗した場合は使用ができなくなることや、電池交換がわずらわしいなどの問題がある。特に、キャンプなどの野外活動において、害虫駆除のために薬剤揮散用器具を持参しても、乾電池が消耗してしまっている場合には、全く役にたたないといった問題がある。しかも、省エネや地球環境保護の観点からも、極力乾電池は使用しないことが望ましいとされている。
【０００５】
そこで、ゼンマイを駆動源とする薬剤揮散用器具が特許文献２及び３として提案されているが、薬剤などの交換時期などを使用者に示すことができず、使用者は、薬効のなくなった薬剤揮散用器具を使い続けてしまうおそれがある。
【発明の開示】
【発明が解決しようとする課題】
【０００６】
上記の事情に鑑み、本願発明は、乾電池などの電源が一切不要となり、地球環境保護にも望ましいゼンマイを駆動源とする薬剤揮散用器具にあって、初期の使用状態からの使用期間の経過に応じ、薬剤の量が減少したことを示す表示や強制的に運転を停止する動作を、電気を用いずになすことのできる薬剤揮散用器具の提供を目的とする。
【課題を解決するための手段】
【０００７】
本願の請求項１に係る発明は、巻き締められたゼンマイばねが伸びる際に発する駆動力を出力軸から回転運動として取り出すことのできるゼンマイ駆動機構と、このゼンマイ駆動機構の出力軸に接続された回転体とを備え、この回転体が揮散用の薬剤を含浸した含浸体を含み、回転体の回転によって上記含浸体に加わる遠心力と回転時に発生する風力に基づき含浸体中の薬剤を揮散させるものであることを特徴とする薬剤揮散用器具において、
上記のゼンマイ駆動機構から回転体までの少なくともいずれか１カ所の回転運動を受けて、出力軸の累積回転数を機械的に計数する計数部と、この計数部にて計数された上記の累積回転回数が所定値に達したことを外部に示す表示部とを備えたことを特徴とする薬剤揮散用器具を提供するものである。
【０００８】
本願の請求項２に係る発明は、上記の表示部に示される表示が、上記の含浸体に含浸された薬剤の量が減少したことを示す表示であることを特徴とする請求項１記載の薬剤揮散用器具を提供する。
【０００９】
本願の請求項３に係る発明は、前記含浸体が粒状若しくは略粒状のセルロース製ビーズであるか、又は略円盤状の三次元の立体繊維構造体であり、前記回転体がこの含浸体を内部に収容するカートリッジを備えたことを特徴とする請求項１又は２記載の薬剤揮散用器具を提供する。
【００１０】
本願の請求項４に係る発明は、上記のゼンマイ駆動機構は、上記の駆動力を蓄えるためにゼンマイばねを手動にて巻き締めるための巻き締め部と、上記の駆動力の放出により回転運動がなされる駆動部と、出力軸へ上記の回転運動を伝達する伝達手段とを備え、この伝達手段は、上記の伝達に当たり、回転運動を１００〜２０００ｒｐｍの回転数に増速可能な調速部を備えるものであると共に、上記のゼンマイ駆動機構は、１回の巻き締めによって、少なくとも４０分間連続して上記の出力軸を回転させることができるものであることを特徴とする請求項１〜３のいずれかに記載の薬剤揮散用器具を提供する。
【００１１】
本願の請求項５に係る発明は、上記の計数部にて計数された上記の累積回転回数が所定値に達した際に、上記の駆動部から上記の出力軸までの少なくともいずれか１カ所又は上記の巻き締め部に対し、制動作用を及ぼすことができる制動部を備えたことを特徴とする請求項４記載の薬剤揮散用器具を提供する。
【００１２】
本願の請求項６に係る発明は、上記のゼンマイ駆動機構は回転運動の伝達をなすギアを含み、上記の計数部は部分ギアとステップ動作ギアとを備え、部分ギアは、上記のゼンマイ駆動機構のギアによる回転運動の伝達を受けて回転するものであり、かつ、部分ギアが１回転するうちの所定範囲でのみ、ステップ動作ギアに回転運動の伝達をなすものであることを特徴とする請求項１〜５のいずれかに記載の薬剤揮散用器具を提供する。
【発明の効果】
【００１３】
本願発明は、電動モータを用いずとも、ゼンマイの駆動力によって、揮散用の薬剤を含浸した含浸体を回転作動させることにより、所定の揮散速度で連続して薬剤を揮散させることができ、乾電池などの電源が一切不要となり、地球環境保護にも望ましい薬剤揮散用器具を提供することができたものである。しかも、本願発明にあっては、出力軸の累積回転数を機械的に計数する計数部と表示部とを備えたものであるため、電池を用いずに、薬剤の含浸量などに応じた使用可能の終期を使用者に知らせ、カートリッジや薬剤の含浸体の交換を促すことができるものであり、薬剤の効果のなくなった状態でいつまでも使用者が使用を続けるといったことを防止することができるものである。
【００１４】
本願の請求項３に係る発明にあっては、上記の効果に加えて、粒状若しくは略粒状のセルロース製ビーズ又は略円盤状の三次元の立体繊維構造体の薬剤含浸体に遠心力を作用させるものであるため、長期間確実な薬剤の揮散が可能となる。
本願の請求項４に係る発明にあっては、上記の効果に加えて、薬剤の揮散に適当な速さで回転すると共に、この回転速度などの条件を満たしつつ、ゼンマイの１回の巻き締めによって、比較的長時間連続運転を行うことができ、使用者にとって、無理のなく使用できる薬剤揮散用器具を提供することができたものである。
【００１５】
本願の請求項５に係る発明にあっては、出力軸の累積回転数を機械的に計数する計数部と制動部とを備えたものであるため、例えば薬剤の含浸量などに応じた使用可能な終期を迎えた場合には、器具の使用をできなくすることができ、カートリッジや薬剤の含浸体の交換を確実に促すことができるものである。
本願の請求項６に係る発明にあっては、上記の出力軸の累積回転数を機械的に且つ正確に計数することができる薬剤揮散用器具を提供することができたものである。
【発明を実施するための最良の形態】
【００１６】
本願発明で用いられる薬剤としては、揮散性に優れた殺虫成分、殺ダニ成分、忌避成分、抗菌成分、消臭成分、芳香成分等があげられる。殺虫成分としては、エムペントリン、トランスフルトリン、メトフルトリン、プロフルトリンなどの常温揮散性ピレスロイド化合物が好ましいがこれらに限定されない。
また、他の薬剤としては、例えばディート、ジメチルフタレート、２−エチル−１，３−ヘキサンジオール等の忌避成分、ヒノキチオール、テトラヒドロリナロール、オイゲノール、シトロネロール、アリルイソチオシアネート等の抗菌成分、シトロネラ油、オレンジ油、レモン油、ライム油、ユズ油、ラベンダー油、ペパーミント油、ユーカリ油、ジャスミン油、檜油、緑茶精油、リモネン、α−ピネン、リナロール、ゲラニオール、フェニルエチルアルコール、アミルシンナミックアルデヒド、クミンアルデヒド、ベンジルアセテート等の芳香成分、「緑の香り」と呼ばれる青葉アルコールや青葉アルデヒド配合の香料成分等があげられる。
【００１７】
前記薬剤が含浸される含浸体の材質としては、例えば、紙、パルプ、ビスコースなどのセルロース系担体、ポリエステル、ナイロン、アクリル、ポリプロピレンなどの合成繊維担体、エチレン−酢酸ビニール系樹脂、オレフィンポリマーなどの合成樹脂担体、ケイ酸カルシウムなどの無機質担体などがあげられる。
なかでも、天然由来の紙、パルプ、ビスコースなどのセルロース系担体を、平均外径が２ｍｍ〜８ｍｍ程度の粒状もしくは略粒状に形成したものが好ましく、特に発泡セルロースビーズ［商品名：ビスコパール（レンゴー株式会社製）］が使いやすい。
また、ポリエステル、ナイロン等を素材とする三次元の立体繊維構造体、例えば、メッシュ状を形成している通気層の下側面、又は上下両側面に薬剤保持層を接合させたものは、薬剤保持能及び揮散性能がともに優れ、本発明で用いる含浸体として好適である。
【００１８】
薬剤の含浸量は、２０〜６００ｍｇ程度が適当であり、薬剤を含浸させる際は、必要に応じ溶剤、希釈剤、界面活性剤、分散剤、徐放化剤などを用い、また従来から知られている各種含浸手段を採用することができる。更に、薬剤含浸体に、安定剤、着色剤、帯電防止剤などを適宜配合してもよい。
【００１９】
含浸体を内部に収容するカートリッジは、含浸体が変形しやすい形状の場合の保護機能や、薬剤に手指が触れるのを防止する機能も有しており、その形状や大きさは任意に決定することができる。
例えば、内周面及び外周面にそれぞれ開口部が形成されている断面矩形の環状中空構造体に薬剤含浸体が収容され、この中空構造体と軸心部の間に複数のスポーク部が架設されているカートリッジがある。
この場合、カートリッジの内周面の内側にシロッコファンを一体的に装填し、遠心力にファンによる風力を付与する構成を採用するのが好ましい。開口部の大きさは、薬剤含浸体の形状や大きさに応じて設計することができ、例えば、薬剤含浸体が粒状もしくは略粒状の場合、薬剤含浸体が散逸しないようにその外径より小さい開口幅を有するスリットを並設すればよい。
【００２０】
また、含浸体として三次元の立体繊維構造体を用いた場合は、その上下両側面をそれぞれ上側部分及び下側部分によって囲み、外側周囲を複数個の保持枠によって囲み、かつ中心位置にある軸心部が薬剤揮散用器具の出力軸と連結し得る薬剤カートリッジがあげられる。
【００２１】
含浸体を含む回転体を薬剤揮散用器具に装填して使用すると、回転体の回転によって含浸体に加わる遠心力と回転時に発生する風力に基づき、薬剤を効率的に揮散、放出させ、薬剤として殺虫成分を用いた場合には、屋内又は屋外において、蚊や蚋、ハエ、ユスリカなどの各種害虫、あるいはイガ、カツオブシムシなどの衣料害虫に対してすぐれた殺虫、防虫効果を奏する。
【００２２】
次に、上記の含浸体を含む回転体が装填される薬剤揮散用器具の構造の望ましい実施の形態を、図面を参照しつつ説明する。
図１は薬剤揮散用器具の斜視図であり、図２は薬剤揮散用器具の内部構造の説明図であり、図３は同薬剤揮散用器具に用いられたゼンマイ駆動機構の斜視図である。
【００２３】
この薬剤揮散用具は、図１、図２に示すように、ゼンマイ駆動機構を収容した駆動機構ケーシング９１と、上記の含浸体を含む回転体８を収容する回転体ケーシング９２とを備え、駆動機構ケーシング９１の図示上面に回転体ケーシング９２が着脱可能に、あるいはヒンジやスライド部を介して開閉可能に取り付けられ、両ケーシング９１、９２によって薬剤揮散用器具全体のケーシングが構成されている。このように、本例では、２つのケーシング９１、９２から構成したが、全体を１つのケーシングから構成するなど、ケーシングの構成は全く自由である。
なお、本願の明細書において、上下左右は、各部の相対的な位置関係を示すに止まり、絶対的な位置を示すものではない。
【００２４】
回転体ケーシング９２には、薬剤の放出路として、多数の貫通穴９３が形成され、回転体８の回転によって含浸体から揮散する薬剤は、これらの貫通穴９３から外部に放出される。なお、放出路としては、大きな開口部にメッシュ状体を装着したものなど、適宜変更して実施し得る。
【００２５】
駆動機構ケーシング９１の内部にはゼンマイ駆動機構が設けられており、このゼンマイ駆動機構は、駆動部１、伝達手段２及び調速部３、出力軸４、計数部５、制動部６を備える。
【００２６】
駆動部１は、駆動源としてのゼンマイばね１１を備えたものである。このゼンマイばね１１は、巻き締め部としてのハンドル１２によって、巻き締めることが可能なものとされており、このように巻き締めることによって駆動力が蓄えられる。この例では、図２に示すように、ハンドル１２は駆動機構ケーシング９１の下面から突出するよう設けられているが、その位置は適宜変更して実施しし得る。また、巻き締め部は、ゼンマイばね１１を巻き締めることができるものであれば足り、本例のようなハンドル１２に限られず、ケーシングの一部を回転可能としておき、この部分を回転させるものとしてもよく、また、引き紐を引くことによりゼンマイばね１１を巻き締めるものであってもよく、種々の形態で実施が可能である。
なお、この引き紐の場合にあっては、ゼンマイばねに予巻きを施しておくことができる点で有利である。具体的に説明すると、ゼンマイばねの一端と共に回転するように設けたドラムに引き紐の一端を固定してドラムに巻き付けておき、ケーシングなどに設けた紐挿通孔から外部に紐を導き出して、引き紐の他端に紐挿通孔よりも大きなストッパを設けておく。そして引き紐を引き出すことによってゼンマイばねが巻き締められる。紐から手を離すと、ゼンマイばねが元の状態に戻るべく伸び出し、引き紐がドラムに再度巻き付けられ、やがてストッパが紐挿通孔に当接して、引き紐はそれ以上、巻き上げられなくなり、ゼンマイばねの回転も停止する。この停止状態において、ゼンマイばねは、完全に伸びきっておらず、回転エネルギーを残した状態にしておく。この回転エネルギーを残した状態でのゼンマイばねの停止を、ゼンマイばねの予巻きと呼んでいるが、上記のように、引き紐の場合には、予巻きを施したものとして実施することができる点で有利である。
【００２７】
ゼンマイばね１１が巻き締められることにより蓄えられた駆動力は、ゼンマイばね１１が元の状態へと戻ろうとして伸びる際に放出される。なお、本例のゼンマイ駆動機構ではゼンマイばね１１を完全に巻き締めた状態において、４０分程度、より望ましくは１時間程度かけて駆動力が放出されるものとされている。
また、このゼンマイばね１１と一体に駆動ギア１３が設けられている。本例では、この駆動ギア１３として平歯車が用いられており、上記の駆動力を受けて回転運動をする。
【００２８】
上記駆動部１の回転運動は、駆動ギア１３から伝達手段２を介して出力軸に伝達される。本例における伝達手段２は、駆動ギア１３の回転運動を増減速し、出力軸４の回転数を使用目的に応じた適切値に調整するための調速部３を兼ねたものとされている。
本例における伝達手段２及び調速部３は、種々の径を有するギアが組み合わされたものとされている。具体的には、各々小径のギアと大径のギアとが一体とされたものであって、第１伝達ギア２１、第２伝達ギア２２、第３伝達ギア２３の３つのギアからなる。ここで、入力側のギアは小径、出力側のギアは大径とされており、駆動ギア１３、第１伝達ギア２１、第２伝達ギア２２、第３伝達ギア２３、出力軸４の順に回転運動が伝達されるうちに、１００〜２０００ｒｐｍの回転数に増速されて出力軸４から出力される。
【００２９】
出力軸４には、前述の薬剤散布用の回転体８が着脱可能に装着される。出力軸４と回転体８との接続構造は、嵌合、螺合等々、適宜変更して実施可能であり、また、両者４、８を着脱不能に固定してしまって、回転体８内の薬剤を含浸した粒状体のみを交換するようにして実施することも可能である。
【００３０】
なお、駆動部１や伝達手段２及び調速部３には、フライホイールやクラッチなどを付加することで、各手段１〜３における回転運動を増強したり途中で切断可能なものとしても良い。また、本例のゼンマイ駆動機構では、ギア（平歯車）の噛み合わせによって回転運動が伝達されるものであるが、これに限らず、ベルトやチェーン、ローラーによって伝達されるものであっても良い。
【００３１】
次に、回転によって、回転体８の含浸体から薬剤を放散した場合において、薬剤などの補充時期や、含浸体又は回転体の交換時期を使用者に促す機構を備えたものとすると便利である。そこで、本例においては、出力軸４の累積回転数を機械的に計数する計数部５を設けることにより、補充時期や交換時期を示すものとし、更に、制動部６を備えたことにより、伝達手段２の回転運動を停止するものとしている。
【００３２】
本例の計数部５は、駆動部１の回転運動を受けて、一定周期毎にステップ動作をなすものである。この計数部５は、第１伝達ギア５１と、ステップ発生ギア５２と、第２伝達ギア５３と、ステップ動作ギア５４の各ギアにより構成されたものであり、駆動部１における駆動ギア１３の回転運動が、第１伝達ギア５１、ステップ発生ギア５２、第２伝達ギア５３、ステップ動作ギア５４の順に伝達がなされる。
【００３３】
上記のステップ発生ギア５２は、従動ギア５２ａと部分ギア５２ｂとが一体とされたものである。なお、この従動ギア５２ａと部分ギア５２ｂとは、連動する関係にあれば良く、必ずしも本例のように一体でなくても良い。本例では、図２に示すように、ステップ発生ギア５２が厚み方向において二つの領域に分けられたものであって、図示下方側の領域が従動ギア５２ａ、図示上方側の領域が部分ギア５２ｂとされている。従動ギア５２ａの外周には全周に歯が形成されている。これに対して、部分ギア５２ｂの外周には一部にのみ歯が形成されている。
【００３４】
そして、本例における第１伝達ギア５１と第２伝達ギア５３とは、同一軸線上に形成されたものであるが、各々別個に回転可能なものとされている。第１伝達ギア５１は、駆動ギア１３の回転運動を従動ギア５２ａに伝達するものである。そして、第２伝達ギア５３は、部分ギア５２ｂの回転運動をステップ動作ギア５４に伝達するものである。
【００３５】
ここで上記のように、部分ギア５２ｂは一部にしか歯が形成されていないため、この歯と第２伝達ギア５３の歯とが噛み合った際にのみ回転運動の伝達がなされる。また、ステップ動作ギア５４は、第２伝達ギア５３の回転運動が伝達されて回転するものである。よって、部分ギア５２ｂが１回転するうちの所定範囲において、部分ギア５２ｂの歯と第２伝達ギア５３の歯とが噛み合った場合にのみ、ステップ動作ギア５４に回転運動の伝達がなされる。これがすなわちステップ動作である。このように部分ギア５２ｂによる構成を採用することにより、比較的簡易な構造でステップ動作をなすことができる。
【００３６】
本例のステップ動作ギア５４の図示上方には表示部５５が配位され、動作ギア５４と表示部５５とが、通常の使用時には同体に回転する。この表示部５５は、ステップ動作ギア５４と連動して、駆動部１の累積回転回数が所定値に達したことを示す表示５５ａ，５５ｂ，５５ｃがされたものである。この表示は、累積回転数などの数値による表示や文字による表示であってもよいが、この例では色彩による表示としている。具体的には、図３に示すように、薬剤などを使い切ったことを示す残量なし表示５５ａとして赤色の表示、まもなく薬剤などを使い切ることを示す残量減表示５５ｂとして黄色の表示、薬剤などが充分に存在することを示す満表示５５ｃとして青色の表示が、表示部５５の表面に付されており、上記のステップ動作ギア５４のステップ動作（回転）に伴い、表示部５５が連動し、これらの表示５５ａ，５５ｂ，５５ｃがケーシングに設けられた表示窓９４（図１、図２に図示）に現れるものとされている。上記のステップ動作ギア５４と表示部５５との連動は、ラチェット構造などの介在により、ステップ動作ギア５４が図示反時計回りの回転をしている際には連動して同体に回転するが、表示部５５だけを図示反時計回りの回転させてもステップ動作ギア５４が連動しないものとされている。
なお、本例では、後述する制動部６との関係で、ステップ動作ギア５４とは別に板状の表示部５５が設けられたものとしたが、これに限られず、ステップ動作ギア５４の表面に直接、上記の表示５５ａ，５５ｂ，５５ｃが付されたものであっても良い。
【００３７】
ここで、上記のステップ動作は、薬剤などの補充時期や交換時期がｎ時間（例えば、ｎ時間＝１２０時間）であり、ゼンマイばね１１を一度巻き締めてから伸び切るまでの運転時間がｍ時間（例えば、ｍ時間＝１時間）である場合は、初期状態から上記の表示のうちで残量なし表示５５ａが現れるまでの、ステップ動作ギア５４の回転角度に対してｍ／ｎ（この例では１／１２０）だけの角度分のステップ動作がなされ、駆動部１の累積回転回数が１２０回に達した際に、上記の残量なし表示５５ａ（赤色）が示される。またそれに先立ち残量減表示５５ｂ（黄色）が示される。これにより、使用者に薬剤などの補充や交換を促すことができる。
【００３８】
なお、本例におけるステップ発生ギア５２の部分ギア５２ｂは、概略図である図４（Ａ）（Ｂ）に示すように、従動ギア５２ａに対して略同径であって、外周の歯の構成を変えたものとしたが、形態はこれに限られるものではなく、例えば、図４（Ｃ）（Ｄ）に示すように、平歯車である従動ギア５２ａの一方側の面に歯だけを設け、この部分を部分ギア５２ｂとして機能させても良い。つまり、部分ギア５２ｂは必ずしも円盤状のものでなくても良く、扇状やその他種々の形態での実施が可能である。
【００３９】
次に、制動部６について説明する。この制動部６は、上記のように薬剤などの補充時期や交換時期を超えて運転がなされた場合に、ゼンマイ駆動機構の運転を強制的に停止させるためのものである。この制動部６は、本例では、上記の表示部５５に一体に設けられており、ステップ動作ギア５４に対して少なくとも一方の回転方向（図示時計回り）に連動するカム６１と、カム６１と伝達手段２とを連結する制動部材６２とを備えたものである。
【００４０】
カム６１は、図３に示すように、一部が径方向に突出した突出部６１ａを有するものである。また、制動部材６２は、上記のように駆動ギア１３の累積回転回数が所定値に達した際に、上記のカム６１の突出部６１ａによって押圧され、伝達手段２の一部に当接するものである。本例では、図３に示すように、制動部材６２がアーム状の形態を有しており、一端がカムに当接する受動部６２ａとされており、他端が、伝達部材２を構成するギアのうち、第３伝達ギア２３の歯に噛み合い可能な歯が形成された噛合部６２ｂとされている。そして、中間には支点６２ｃが形成されている。この支点６２ｃには、図示はしないがばねが組み込まれており、受動部６２ａがカム６１の表面に当接し、噛合部６２ｂが第３伝達ギア２３とは離れる方向に制動部材６２を付勢している。
【００４１】
上記の構成により、ステップ動作ギア５４がステップ動作により段階的に回転していくと、カムの突出部６１ａにより、制動部材６２の受動部６２ａが順次押圧される。すると、支点６２ｃの存在により制動部材６２が梃子状の動作をなす。そして、駆動ギア１３の累積回転回数が所定値に達した際には、噛合部６２ｂに形成された歯が、第３伝達ギア２３の歯に噛み合い、回転を止める。これにより、噛合部６２ｂが第３伝達ギア２３の歯に噛み合い、強制的に伝達手段２の回転を停止させることができる。
よって、上記の状態を解除しない限りは、ゼンマイ駆動機構の運転を再開することができないため、使用者に薬剤などの補充や交換をより強く促すことができる。
【００４２】
ここで、本例のゼンマイ駆動機構における、計数部５と制動部６との関係を、図５と共に説明する。
まず、運転開始時は図５（Ａ）に示す状態である。この際、表示部５５はステップ動作ギア５４のステップ動作Ｒ１に連動して、図示矢印方向にステップ動作Ｒ２をなす。また、この際には制動部材６２の噛合部６２ｂと第３伝達ギア２３とは離れている。また、表示部５５の表示は満表示５５ｃ（青色）から順次残量減表示５５ｂ（黄色）へと移行する。
【００４３】
そして、ステップ動作ギア５４に連動して表示部５５が残量なし表示５５ａ（赤色）を示すところまで回転すると、上記に説明した通り、制動部６が作動して伝達手段２の回転を停止させる（図５（Ｂ）参照）。
【００４４】
上記の制動状態を解除するには、図５（Ｃ）に示すように、表示部５５を図示反時計回りＲ３に強制的に回転させ、運転開始時の位置に戻す。この際、カム６１は表示部５５と一体に形成されたものであるため、カム６１も回転する。これにより、カム６１の突出部６１ａによる制動部材６２の受動部６２ａの押圧が解除され、伝達手段２の回転が可能な状態に復帰し、図５（Ａ）に示した状態に戻る。なお、ステップ動作ギア５４と表示部５５との間にはラチェット構造などが介在することから、上記のように表示部５５を回転させた際にもステップ動作ギア５４は回転しない。
【００４５】
上記に説明したように、本例の制動部６は、伝達手段２の動作を停止させるものであるが、制動部材６２を、駆動部１、伝達手段２、調速部３のいずれかの一部とを直接的あるいは間接的に連結するものとし、これら１〜３のいずれかに制動作用を及ぼすものとしても良い。また、制動作用は本例のように即時になされるものであっても良いし、遅れてなされるものであっても良い。
【００４６】
例えば、制動部材６２が、ハンドル１２を回転できないように固定することで制動作用をなすことが考えられる。この場合は、薬剤などがなくなった後でも、ゼンマイばね１１が完全に伸び切るまでは運転が継続される。そして、次回はハンドル１２の固定状態を解除しない限り、ゼンマイばね１１を巻き締めることができず、運転を継続することができない。なお、この場合、ステップ動作ギア５４が回転し続けると、残量なし表示５５ａが隠れて見えなくなってしまう可能性があるため、残量なし表示５５ａが示された後においては、ステップ動作ギア５４と第２伝達ギア５３との間が空回りしすること等により、ステップ動作ギア５４の回転を停止させる機構を備えたものとすることが望ましい。
【００４７】
また、本例のゼンマイ駆動機構では、上記のように、計数部５が薬剤などの残量を表示し、それと共に制動部６を動作させるものとしたが、これに限られるものではなく、残量表示か制動部６の動作かのいずれかのみを計数部５により行うものとしても良い。この残量表示のみを行う場合の例を図６に示す。
【００４８】
この例では、カム６１や制動部材６２は設けられておらず、表示部５５の外周に突出するようにストッパー突起７１が設けられ、このストッパー突起７１に当接可能な当接部７２がケーシングなどに設けられたものである。なお、この例においても、ラチェット構造などの介在により、ステップ動作ギア５４と表示部５５とは別個に回転可能とされている。
【００４９】
まず、運転開始からしばらく経過した状態を図６（Ａ）に示す。この状態では、図５（Ａ）に示したものと同様に、この際、表示部５５はステップ動作ギア５４のステップ動作Ｒ４に連動して、図示矢印方向にステップ動作Ｒ５をなす。ストッパー突起７１も同じくステップ動作Ｒ５をなす。
【００５０】
そして、ステップ動作ギア５４に連動して表示部５５が残量なし表示５５ａ（赤色）を示すところまで回転すると、ストッパー突起７１が当接部７２に当接して、表示部５５の回転が停止する。ただし、この例では、図５に示した例とは異なり、表示部５５の回転が停止した状態でも、駆動部１のゼンマイばねが伸び切るまでステップ動作ギア５４ステップ動作Ｒ４は継続する。
【００５１】
次に運転を開始する際には、表示部５５を図示時計回りＲ５に強制的に回転させ、図６（Ｃ）に示す状態とする。この際においても、表示部５５とステップ動作ギア５４とは連動しない構造としておくことが望ましい。
【００５２】
以上、本願発明の実施の形態に係る薬剤揮散用器具におけるゼンマイ駆動機構について、構成上の特徴を列記する。
【００５３】
駆動部１から出力軸４への回転運動の伝達がギアによりなされたものであり、計数部５は、少なくとも、部分ギア５２ｂとステップ動作ギア５４とを備えたものであって、部分ギア５２ｂは、駆動部１の回転運動の伝達を受けて回転するものであり、かつ、部分ギア５２ｂが１回転するうちの所定範囲でのみ、ステップ動作ギア５４に回転運動の伝達がなされるものであることを特徴とする。
【００５４】
上記の計数部５は、第１伝達ギア５１と、ステップ発生ギア５２と、第２伝達ギア５３と、上記ステップ動作ギア５４との各ギアにより構成されたものであって、上記の順で各ギアが噛み合うことで、回転運動の伝達がなされるものであり、ステップ発生ギア５２は、従動ギア５２ａと上記の部分ギア５２ｂとを備え、各ギア５２ａ，５２ｂが連動するものであり、従動ギア５２ａは全周に歯が形成されており、部分ギア５２ｂは、上記一定周期毎のステップ動作に対応して、第２伝達ギア５３と噛み合う範囲にのみ歯が形成されており、ステップ動作ギア５４は、このステップ動作ギア５４の動作と連動して、駆動部１の累積回転回数が所定値に達したことを示す表示５５ａ，５５ｂ，５５ｃをなすものであり、この表示５５ａ，５５ｂ，５５ｃは、ステップ動作ギア５４の上記回転運動の伝達による回転と共に、順次移動するものであり、第１伝達ギア５１は、駆動部１においてゼンマイばね１１の駆動力を受けて回転運動する駆動ギア１３の回転運動を、ステップ発生ギア５２のうちの従動ギア５２ａに伝達するものであり、第２伝達ギア５３は、ステップ発生ギア５２の回転運動を、上記の部分ギア５２ｂの歯と噛み合った際にのみ、ステップ動作ギア５４に伝達するものであることを特徴とする。
【００５５】
制動部６は、ステップ動作ギア５４と少なくとも一方の回転方向において連動するカム６１と、カム６１と、駆動部１、伝達手段２、調速部３のいずれかの一部とを直接的あるいは間接的に連結する制動部材６２とを備えたものであり、制動部材６２は、上記のように駆動ギア１３の累積回転回数が所定値に達した際に、上記のカム６１によって移動させられることで、駆動部１、伝達手段２、調速部３の一部に対し、制動作用を及ぼすことを特徴とする。
【００５６】
また、上記の制動部材６２の、一端に上記のカム６１に押圧される受動部６２ａは、他端に伝達手段２を構成する伝達ギアの歯に噛み合うことのできる歯を有する噛合部６２ｂが、中間に支点６２ｃが設けられたことを特徴とする。
【実施例１】
【００５７】
トランスフルトリン５０ｍｇを平均外径が約３ｍｍの粒状発泡セルロースビーズ［商品名：ビスコパール（レンゴー株式会社製）］１．０ｇに含浸させ、この含浸体をカートリッジ（外径６．５ｃｍ、内径４ｃｍの断面矩形の環状中空構造体、高さ２ｃｍ）に収容した。なお、カートリッジの内周面及び外周面にはそれぞれ開口スリット（幅２ｍｍ、高さ方向ほぼ全長）が３ｍｍおきに形成され、内周面に沿って計２４枚のシロッコファンを有している。
【００５８】
前述の図１乃至図５に示す薬剤揮散用器具に回転体を装着後、巻き締め部のハンドルを回してゼンマイばねを巻き締め、応接間のサイドボードの上に置いて使用した。約１時間にわたり、蚊やブユに悩まされることがなく、十分な防虫効果が認められた。
【実施例２】
【００５９】
実施例２では、薬剤含浸体として、ポリエステルモノフィラメントを用いたメッシュ状通気層の下面にポリエステルプレーン組織を編成してなる三次元の立体繊維構造体（外径４．５ｃｍ、厚み３．７ｍｍの円盤状）を使用し、これにメトフルトリン３０ｍｇを含浸させた。また、カートリッジは、この薬剤含浸体を収容できる大きさで、上下面の外周縁に内方に向けて３個の板状保持枠を、また側面周囲には断面が三角形の８個の保持枠を有する略円盤状とした。
【００６０】
このカートリッジを、回転体として、前述の図１乃至図５に示す薬剤揮散用器具に装填し、巻き締め部のハンドルを回してゼンマイばねを巻き締め、腰に取り付けて庭仕事に従事した。１回あたり約１時間の作動中、蚊やユスリカ等に対して安定した殺虫効力を発揮し、害虫に悩まされることはなかった。また、およそ８０回繰り返し使用後、表示部に残量なし表示（赤色）が現れ、薬剤含浸体の交換時期を明瞭に認知することができた。
【図面の簡単な説明】
【００６１】
【図１】本願発明の実施の形態に係る薬剤揮散用器具の斜視図である。
【図２】同薬剤揮散用器具の内部構造の説明図である。
【図３】同薬剤揮散用器具に用いられたゼンマイ駆動機構の斜視図である。
【図４】（Ａ）はステップ発生ギアの一実施形態の概略平面図であり、（Ｂ）は同概略側面図である。（Ｃ）はステップ発生ギアの他の実施形態の概略平面図であり、（Ｄ）は同概略側面図である。
【図５】（Ａ）〜（Ｃ）は、それぞれ同ゼンマイ駆動機構の動作を示す説明図である。
【図６】（Ａ）〜（Ｃ）は、それぞれ本願発明の他の実施の形態に係る薬剤揮散用器具のゼンマイ駆動機構の動作を示す説明図である。
【符号の説明】
【００６２】
１        駆動部
１１      ゼンマイばね
１３      駆動ギア
２        伝達手段
３        調速部
４        出力軸
５        計数部
５１      第１伝達ギア
５２      ステップ発生ギア
５２ａ    従動ギア
５２ｂ    部分ギア
５３      第２伝達ギア
５４      ステップ動作ギア
５５ａ    薬剤などの残量表示（残量なし）
５５ｂ    薬剤などの残量表示（残量減）
５５ｃ    薬剤などの残量表示（満）
６        制動部
６１      カム
６２      制動部材
６２ａ    受動部
６２ｂ    噛合部
６２ｃ    支点
８        回転体
【図１】
0004732839.tif 000002
【図２】
0004732839.tif 000003
【図３】
0004732839.tif 000004
【図４】
0004732839.tif 000005
【図５】
0004732839.tif 000006
【図６】
0004732839.tif 000007